(57)【特許請求の範囲】
【請求項１】
複数のユーザが使用する情報記録再生装置において、
パスワードを取得する第１の取得手段と、
記録する情報を取得する第２の取得手段と、
前記第１の取得手段により取得された前記パスワードと、前記第２の取得手段により取得された前記情報を関連付けて記憶メディアに記憶させる記憶手段と、
前記第１の取得手段により取得された前記パスワードと、前記記憶手段により記憶された前記パスワードを比較し、その比較結果に基づいて、前記記憶メディアに記憶された情報の再生を制御する制御手段と
を備え、
前記パスワードは、個人パスワードとグループパスワードを含み、
前記制御手段は、
前記第１の取得手段において取得された前記パスワードが、前記個人パスワードまたは前記グループパスワードのうちのいずれであるかを判定し、
前記第１の取得手段において取得された前記パスワードが、前記個人パスワードであると判定した場合、前記個人パスワードと前記記憶手段により記憶された前記パスワードとを比較した結果、前記個人パスワードと一致するパスワードに関連付けられている前記情報を再生させ、
前記第１の取得手段において取得された前記パスワードが、前記グループパスワードであると判定した場合、前記グループパスワードと、前記記憶手段により記憶された前記パスワードとを比較するとともに、前記グループパスワードのグループに属するユーザの個人パスワードと、前記記憶手段により記憶された前記パスワードとを比較した結果、前記グループパスワードおよび前記個人パスワードと一致するパスワードに関連付けられている前記情報を再生させる
ことを特徴とする情報記録再生装置。
【請求項２】
前記記憶手段は前記個人パスワードと前記グループパスワードを対応付けて前記記憶メディアに記憶させ、
前記制御手段は、前記第１の取得手段において取得された前記パスワードが、前記グループパスワードであると判定した場合、前記グループパスワードに対応付けられている個人パスワードを、前記記憶メディアから読み出す
ことを特徴とする請求項１に記載の情報記録再生装置。
【請求項３】
複数のユーザが使用する情報記録再生装置の情報記録再生方法において、
パスワードを取得する第１の取得ステップと、
記録する情報を取得する第２の取得ステップと、
前記第１の取得ステップの処理により取得された前記パスワードと、前記第２の取得ステップの処理により取得された前記情報を関連付けて記憶メディアに記憶させる記憶ステップと、
前記第１の取得ステップの処理により取得された前記パスワードと、前記記憶ステップの処理により記憶された前記パスワードを比較し、その比較結果に基づいて、前記記憶メディアに記憶された情報の再生を制御する制御ステップと
を含み、
前記パスワードは、個人パスワードとグループパスワードを含み、
前記制御ステップにおいて、
前記第１の取得ステップにおいて取得された前記パスワードが、前記個人パスワードまたは前記グループパスワードのうちのいずれであるかが判定され、
前記第１の取得ステップにおいて取得された前記パスワードが、前記個人パスワードであると判定された場合、前記個人パスワードと前記記憶ステップにおいて記憶された前記パスワードとを比較した結果、前記個人パスワードと一致するパスワードに関連付けられている前記情報を再生させ、
前記第１の取得ステップにおいて取得された前記パスワードが、前記グループパスワードであると判定された場合、前記グループパスワードと、前記記憶ステップにおいて記憶された前記パスワードとを比較するとともに、前記グループパスワードのグループに属するユーザの個人パスワードと、前記記憶ステップにおいて記憶された前記パスワードとを比較した結果、前記グループパスワードおよび前記個人パスワードと一致するパスワードに関連付けられている前記情報を再生させる
ことを特徴とする情報記録再生方法。
【請求項４】
複数のユーザが使用する情報記録再生装置のプログラムであって、
パスワードを取得する第１の取得ステップと、
記録する情報を取得する第２の取得ステップと、
前記第１の取得ステップの処理により取得された前記パスワードと前記第２の取得ステップの処理により取得された前記情報を関連付けて記憶メディアに記憶させる記憶ステップと、
前記第１の取得ステップの処理により取得された前記パスワードと、前記記憶ステップの処理により記憶された前記パスワードを比較し、その比較結果に基づいて、前記記憶メディアに記憶された情報の再生を制御する制御ステップと
を含み、
前記パスワードは、個人パスワードとグループパスワードを含み、
前記制御ステップにおいて、
前記第１の取得ステップにおいて取得された前記パスワードが、前記個人パスワードまたは前記グループパスワードのうちのいずれであるかが判定され、
前記第１の取得ステップにおいて取得された前記パスワードが、前記個人パスワードであると判定された場合、前記個人パスワードと前記記憶ステップにおいて記憶された前記パスワードとを比較した結果、前記個人パスワードと一致するパスワードに関連付けられている前記情報を再生させ、
前記第１の取得ステップにおいて取得された前記パスワードが、前記グループパスワードであると判定された場合、前記グループパスワードと、前記記憶ステップにおいて記憶された前記パスワードとを比較するとともに、前記グループパスワードのグループに属するユーザの個人パスワードと、前記記憶ステップにおいて記憶された前記パスワードとを比較した結果、前記グループパスワードおよび前記個人パスワードと一致するパスワードに関連付けられている前記情報を再生させる
ことを特徴とするコンピュータが読み取り可能なプログラムが記録されている記録媒体。
【請求項５】
複数のユーザが使用する情報記録再生装置を制御するコンピュータに、
パスワードを取得する第１の取得ステップと、
記録する情報を取得する第２の取得ステップと、
前記第１の取得ステップの処理により取得された前記パスワードと前記第２の取得ステップの処理により取得された前記情報を関連付けて記憶メディアに記憶させる記憶ステップと、
前記第１の取得ステップの処理により取得された前記パスワードと、前記記憶ステップの処理により記憶された前記パスワードを比較し、その比較結果に基づいて、前記記憶メディアに記憶された情報の再生を制御する制御ステップと
を実行させ、
前記パスワードは、個人パスワードとグループパスワードを含み、
前記制御ステップにおいて、
前記第１の取得ステップにおいて取得された前記パスワードが、前記個人パスワードまたは前記グループパスワードのうちのいずれであるかが判定され、
前記第１の取得ステップにおいて取得された前記パスワードが、前記個人パスワードであると判定された場合、前記個人パスワードと前記記憶ステップにおいて記憶された前記パスワードとを比較した結果、前記個人パスワードと一致するパスワードに関連付けられている前記情報を再生させ、
前記第１の取得ステップにおいて取得された前記パスワードが、前記グループパスワードであると判定された場合、前記グループパスワードと、前記記憶ステップにおいて記憶された前記パスワードとを比較するとともに、前記グループパスワードのグループに属するユーザの個人パスワードと、前記記憶ステップにおいて記憶された前記パスワードとを比較した結果、前記グループパスワードおよび前記個人パスワードと一致するパスワードに関連付けられている前記情報を再生させる
プログラム。
【発明の詳細な説明】
【０００１】
【発明の属する技術分野】
本発明は情報記録再生装置および方法、記録媒体、並びにプログラムに関し、特に、セキュリティを確保しつつ、複数のユーザのそれぞれが共有する記憶メディアに情報を記録し、また再生することができるようにした情報記録再生装置および方法、記録媒体、並びにプログラムに関する。
【０００２】
【従来の技術】
最近、電子スチルカメラが普及してきた。この電子スチルカメラにおいては、例えばメモリスティック（登録商標）などの記憶メディアに撮影された画像が記憶される。電子スチルカメラを複数のユーザが使用する場合、記憶メディア内に記憶された画像は、各ユーザが自由にアクセスすることができる。
【０００３】
【発明が解決しようとする課題】
しかしながら、このように各ユーザが自由に全ての情報にアクセス可能であると、本人の許可なしに、秘密にしておきたい情報を第三者に閲覧されてしまったり、記憶メディアから情報を消去されてしまったりする恐れがあり、セキュリティを確保することができない課題があった。
【０００４】
このため、セキュリティを確保する場合には、複数のユーザが同一のメディアを共用することが困難であり、各ユーザはそれぞれ専用の記憶メディアを使用せざるを得なかった。
【０００５】
本発明はこのような状況に鑑みてなされたものであり、セキュリティを確保しつつ、複数のユーザが同一の記憶メディアを共用することができるようにするものである。
【０００６】
【課題を解決するための手段】
本発明の情報記録再生装置は、パスワードを取得する第１の取得手段と、記録する情報を取得する第２の取得手段と、第１の取得手段により取得されたパスワードと、第２の取得手段により取得された情報を関連付けて記憶メディアに記憶させる記憶手段と、第１の取得手段により取得されたパスワードと、記憶手段により記憶されたパスワードを比較し、その比較結果に基づいて、記憶メディアに記憶された情報の再生を制御する制御手段とを備え、パスワードは、個人パスワードとグループパスワードを含み、制御手段は、第１の取得手段において取得されたパスワードが、個人パスワードまたはグループパスワードのうちのいずれであるかを判定し、第１の取得手段において取得されたパスワードが、個人パスワードであると判定した場合、個人パスワードと記憶手段により記憶されたパスワードとを比較した結果、個人パスワードと一致するパスワードに関連付けられている情報を再生させ、第１の取得手段において取得されたパスワードが、グループパスワードであると判定した場合、グループパスワードと、記憶手段により記憶されたパスワードとを比較するとともに、グループパスワードのグループに属するユーザの個人パスワードと、記憶手段により記憶されたパスワードとを比較した結果、グループパスワードおよび個人パスワードと一致するパスワードに関連付けられている情報を再生させることを特徴とする。
【０００７】
記憶手段は個人パスワードとグループパスワードを対応付けて記憶メディアに記憶させ、制御手段は、第１の取得手段において取得されたパスワードが、グループパスワードであると判定した場合、グループパスワードに対応付けられている個人パスワードを、記憶メディアから読み出すことができる。
【０００８】
本発明の情報記録再生方法は、パスワードを取得する第１の取得ステップと、記録する情報を取得する第２の取得ステップと、第１の取得ステップの処理により取得されたパスワードと、第２の取得ステップの処理により取得された情報を関連付けて記憶メディアに記憶させる記憶ステップと、第１の取得ステップの処理により取得されたパスワードと、記憶ステップの処理により記憶されたパスワードを比較し、その比較結果に基づいて、記憶メディアに記憶された情報の再生を制御する制御ステップとを含み、パスワードは、個人パスワードとグループパスワードを含み、制御ステップにおいて、第１の取得ステップにおいて取得されたパスワードが、個人パスワードまたはグループパスワードのうちのいずれであるかが判定され、第１の取得ステップにおいて取得されたパスワードが、個人パスワードであると判定された場合、個人パスワードと記憶ステップにおいて記憶されたパスワードとを比較した結果、個人パスワードと一致するパスワードに関連付けられている情報を再生させ、第１の取得ステップにおいて取得されたパスワードが、グループパスワードであると判定された場合、グループパスワードと、記憶ステップにおいて記憶されたパスワードとを比較するとともに、グループパスワードのグループに属するユーザの個人パスワードと、記憶ステップにおいて記憶されたパスワードとを比較した結果、グループパスワードおよび個人パスワードと一致するパスワードに関連付けられている情報を再生させることを特徴とする。
【０００９】
本発明の記録媒体のプログラムは、パスワードを取得する第１の取得ステップと、記録する情報を取得する第２の取得ステップと、第１の取得ステップの処理により取得されたパスワードと第２の取得ステップの処理により取得された情報を関連付けて記憶メディアに記憶させる記憶ステップと、第１の取得ステップの処理により取得されたパスワードと、記憶ステップの処理により記憶されたパスワードを比較し、その比較結果に基づいて、記憶メディアに記憶された情報の再生を制御する制御ステップとを含み、パスワードは、個人パスワードとグループパスワードを含み、制御ステップにおいて、第１の取得ステップにおいて取得されたパスワードが、個人パスワードまたはグループパスワードのうちのいずれであるかが判定され、第１の取得ステップにおいて取得されたパスワードが、個人パスワードであると判定された場合、個人パスワードと記憶ステップにおいて記憶されたパスワードとを比較した結果、個人パスワードと一致するパスワードに関連付けられている情報を再生させ、第１の取得ステップにおいて取得されたパスワードが、グループパスワードであると判定された場合、グループパスワードと、記憶ステップにおいて記憶されたパスワードとを比較するとともに、グループパスワードのグループに属するユーザの個人パスワードと、記憶ステップにおいて記憶されたパスワードとを比較した結果、グループパスワードおよび個人パスワードと一致するパスワードに関連付けられている情報を再生させることを特徴とする。
【００１０】
本発明のプログラムは、パスワードを取得する第１の取得ステップと、記録する情報を取得する第２の取得ステップと、第１の取得ステップの処理により取得されたパスワードと第２の取得ステップの処理により取得された情報を関連付けて記憶メディアに記憶させる記憶ステップと、第１の取得ステップの処理により取得されたパスワードと、記憶ステップの処理により記憶されたパスワードを比較し、その比較結果に基づいて、記憶メディアに記憶された情報の再生を制御する制御ステップとを実行させ、パスワードは、個人パスワードとグループパスワードを含み、制御ステップにおいて、第１の取得ステップにおいて取得されたパスワードが、個人パスワードまたはグループパスワードのうちのいずれであるかが判定され、第１の取得ステップにおいて取得されたパスワードが、個人パスワードであると判定された場合、個人パスワードと記憶ステップにおいて記憶されたパスワードとを比較した結果、個人パスワードと一致するパスワードに関連付けられている情報を再生させ、第１の取得ステップにおいて取得されたパスワードが、グループパスワードであると判定された場合、グループパスワードと、記憶ステップにおいて記憶されたパスワードとを比較するとともに、グループパスワードのグループに属するユーザの個人パスワードと、記憶ステップにおいて記憶されたパスワードとを比較した結果、グループパスワードおよび個人パスワードと一致するパスワードに関連付けられている情報を再生させることを特徴とする。
【００１１】
本発明の情報記録再生装置、情報記録再生方法、記録媒体、およびプログラムにおいては、パスワードが取得され、取得された情報に関連付けられて記憶メディアに記憶される。また、パスワードと記憶メディアに記憶されている情報が比較され、その結果に基づいて、記憶メディアに記憶された情報の再生が制御される。また、パスワードは、個人パスワードとグループパスワードを含み、パスワードが、個人パスワードまたはグループパスワードのうちのいずれであるかが判定される。そして、パスワードが、個人パスワードであると判定された場合、個人パスワードと、記憶されたパスワードとが比較された結果、個人パスワードと一致するパスワードに関連付けられている情報が再生される。一方、パスワードが、グループパスワードであると判定された場合、グループパスワードと、記憶されたパスワードとが比較されるとともに、グループパスワードのグループに属するユーザの個人パスワードと、記憶されたパスワードとが比較された結果、グループパスワードおよび個人パスワードと一致するパスワードに関連付けられている情報を再生させる
【００１２】
【発明の実施の形態】
図１は、本発明を適用した電子スチルカメラの構成を示すブロック図である。この電子スチルカメラ１の撮像素子１１は、例えば、CCD（Charge‐Coupled Devices）やCMOS（Complementary Metal-Oxide Semiconductor）イメージャなどで構成され、被写体を撮影する。ADC（Analog to Digital converter）１２は撮像素子１１から出力されたアナログ信号をデジタル信号に変換する。
【００１３】
信号処理部１３は、画像信号を、例えば、JPEG（Joint Photographic Coding Experts Group）等の方式で圧縮または伸長する。記憶メディア１５は、例えば、メモリスティック（登録商標）等の半導体メモリにより構成され、記憶メディアスロット１４に着脱自在に装着される。記憶メディア１５には、画像データが記憶される。
【００１４】
記憶メディアスロット１４は、外部インターフェース（I/F）１６を介して図示せぬパーソナルコンピュータなどの外部周辺機器に無線または有線で接続される。
【００１５】
入力部１７は、ボタン、スイッチ等で構成され、ユーザの操作に基づいて指令やデータを取得する。中央処理部２０は、例えば、マイクロコンピュータなどで構成され、入力部１７から入力されたユーザからの指令に基づいて、各種の処理を実行する。
【００１６】
比較部１８は、入力部１７が取得したパスワードと記憶メディアスロット１４を介して記憶メディア１５から取得した記憶ファイルに対応付けられているパスワードを比較して、比較の結果を中央処理部２０に出力する。
【００１７】
表示部２１は、例えば、LCD（Liquid Crystal Display）パネルなどで構成され、画像やユーザに対するメッセージを表示する。
【００１８】
書込み読み出し制御部１９は、中央処理部２０からの指令に基づいて信号処理部１３により圧縮された画像データを、ユーザのパスワードを付加して記憶メディアスロット１４を介して記憶メディア１５に書込ませるとともに、書込まれている画像データを読み出させる。
【００１９】
中央処理部２０には、必要に応じて、インターフェース２２を介してドライブ２３が接続される。ドライブ２３は、装着された磁気ディスク３１、光ディスク３２、光磁気ディスク３３、または半導体メモリ３４に記録されているプログラムまたはデータを読み出して、中央処理部２０にインストールする。
【００２０】
この電子スチルカメラ１においては、ユーザは、個々のパスワードと、グループパスワードを使用することができる（その使用方法については、図３を参照して後述する）。グループパスワードを使用する場合、ユーザは、グループパスワードを予め登録しておく必要がある。図２のフローチャートは、このグループパスワードの登録処理を表している。
【００２１】
ユーザは入力部１７を操作して、自分自身の個人パスワードを入力する。ステップＳ１において、中央処理部２０は、ユーザから入力された個人パスワードを、入力部１７を介して取得すると、内部のメモリに一時的に記憶する。
【００２２】
ユーザは、さらに入力部１７を操作して、グループパスワードを入力する。ステップＳ２において、中央処理部２０は、ユーザから入力されたグループパスワードを、入力部１７を介して取得すると、内部のメモリ一時的に記憶する。
【００２３】
ステップＳ３において、中央処理部２０は、ステップＳ１の処理で取得した個人パスワードと、ステップＳ２の処理で取得したグループパスワードを対応付け、書込み読み出し制御部１９を制御して、記憶メディアスロット１４に装着されている記憶メディア１５に記録させる。
【００２４】
図３は、以上のようにして、記憶メディア１５に記憶されたパスワードの対応テーブルの例を表している。
【００２５】
図３の例では、ユーザA乃至ユーザDの個人パスワードが、それぞれ、adesu、bda、cdayo、またはdyoとして登録されている。そして、ユーザAとユーザCには、グループパスワードaagpが登録されている。
【００２６】
図４は、図３の対応テーブルのパスワードの関係を、模式的に表している。同図に示されるように、ユーザAとユーザCは、同じグループAAに属し、そのグループパスワードは、aagpとされている。これに対して、ユーザBとユーザDは、グループに属していない。
【００２７】
次に、図５および図６のフローチャートを参照して、記憶メディア１５を複数のユーザで共用する場合の電子スチルカメラ１の記録再生処理を説明する。
【００２８】
ユーザは記憶メディア１５に対して画像データを記録するか、または既に記録されている画像データを再生する場合、入力部１７を操作して、パスワードを入力する。そこで、ステップＳ１１において、中央処理部２０は、入力部１７を介してユーザからパスワードが入力されたか否かを判定する。パスワードが入力されたと判定された場合、ステップＳ１２に進み、中央処理部２０は、入力されたパスワードを内部のメモリに、一時的に記憶する。
【００２９】
ステップＳ１１において、パスワードが入力されていないと判定された場合、ステップ１２の処理はスキップされ、手続きは、ステップＳ１３に進む。
【００３０】
ユーザは、被写体を撮影し、その画像を記憶メディア１５に記憶させる時、入力部１７を構成するシャッタを操作し、撮影を指令する。そこで、ステップＳ１３において、中央処理部２０は、入力部１７を介してユーザから撮影が指令されたか否かを判定する。撮影が指令されたと判定された場合、ステップＳ１４に進み、中央処理部２０は、信号処理部１３に指令を出し、撮影処理を実行する。このとき、信号処理部１３は、撮像素子１１から出力されたアナログ信号をデジタル信号に変換したデータをADC１２から取得して、画像データをJPEG方式で圧縮する。
【００３１】
ステップＳ１５において、中央処理部２０は、パスワードが記憶されているか否かを判定する。パスワードが記憶されていると判定された場合、ステップＳ１６に進み、中央処理部２０は、書込み読み出し制御部１９を制御して、ステップ１４の処理で取得された画像データ（圧縮されている）をパスワードに関連付けて記憶メディア１５の空き領域に記録させる。
【００３２】
ステップＳ１５において、パスワードが記憶されていないと判定された場合、ステップＳ１７に進み、中央処理部２０は、書込み読み出し制御部１９を制御し、ステップＳ１４の処理で取得された画像データ（圧縮されている）を記憶メディア１５に記録させる。すなわち、この場合、パスワードは記録されない。
【００３３】
ステップＳ１８において、中央処理部２０は、入力部１７を介して、ユーザから終了が指令されたか否かを判定し、終了が指令されたと判定された場合、処理は終了する。終了が指令されていないと判定された場合、処理はステップＳ１３に戻り、それ以降の処理が繰り返される。
【００３４】
ステップＳ１３において、撮影が指令されていないと判定された場合、手続きは、ステップＳ１９に進む。
【００３５】
ユーザは、再生を指令する時、入力部１７を操作する。そこで、ステップＳ１９において、中央処理部２０は、入力部１７を介して、ユーザから再生が指令されたか否かを判定し、再生が指令されていないと判定された場合、処理をステップＳ１８に戻す。再生が指令されたと判定された場合、ステップＳ２０に進み、中央処理部２０は、ユーザからパスワードが入力され、記憶されている（ステップＳ１２の処理で記憶されている）か否かを判定する。
【００３６】
ステップＳ２０において、パスワードが記憶されていないと判定された場合、中央処理部２０は、ステップＳ２１に進み、信号処理部１３を制御し、パスワードが対応付けられていない画像を記憶メディア１５から読み出させる。信号処理部１３は、この画像データをJPEG方式で伸長し、中央処理部２０に供給する。中央処理部２０は、この画像データを表示部２１に出力し、表示させるか、または外部I/F１６を介して図示せぬパーソナルコンピュータなどの外部周辺機器に出力させ、ステップＳ１８の処理に戻る。
【００３７】
ステップ２０において、ユーザから入力されたパスワードが記憶されていると判定された場合、ステップＳ２２に進み、中央処理部２０は、記憶されているパスワードはグループパスワードであるか否かを判定する。
【００３８】
ステップＳ２２において、ユーザより入力され、記憶されているパスワードがグループパスワードではないと判定された場合（個人パスワードであると判定された場合）、ステップＳ２５に進み、中央処理部２０は、比較部１８を制御し、記憶メディア１５の画像データに付加されている個人パスワードを順次読み出させ、記憶されている個人パスワード（入力部１７から入力された個人パスワード）と比較させる。比較部１８は、２つの個人パスワードを比較し、その比較結果を中央処理部２０に通知する。
【００３９】
中央処理部２０は、２つの個人パスワードが一致するとの比較結果が得られたとき、書込み読み出し制御部１９を制御し、その個人パスワードに対応する画像データを、記憶メディア１５から読み出させる。信号処理部１３は、記憶メディア１５から読み出された画像データをJPEG方式で伸長し、中央処理部２０に供給する。中央処理部２０は、この画像データを表示部２１に出力し、表示させるか、または外部I/F１６を介して図示せぬパーソナルコンピュータなどの外部周辺機器に出力させて、ステップＳ１８の処理に戻る。
【００４０】
記憶されているパスワードがグループパスワードであるとステップＳ２２で判定された場合、ステップＳ２３に進み、中央処理部２０は、比較部１８を制御し、記憶メディア１５の対応テーブル（図３）から対応する個人パスワードを読み出させて、ステップＳ２４の処理に進む。
【００４１】
ステップＳ２４において、中央処理部２０は、記憶されているグループパスワードに対応する画像を記憶メディア１５から読み出させるとともに、ステップＳ２３の処理で読み出した全ての個人パスワード（入力部１７から入力されたグループパスワードに対応する全ての個人パスワード）に対応する画像を記憶メディア１５から読み出させる。その後、処理は、ステップＳ１８に戻る。
【００４２】
以上のようにして、電子スチルカメラ１の記憶メディア１５を複数のユーザで共用する場合における、撮影された画像ファイルへのアクセス制限の例を、図７を参照して説明する。
【００４３】
この例では、図７Aに示されるように、ユーザAが、電子スチルカメラ１を最初に使用する場合、ユーザAは、入力部１７に個人パスワードadesuを入力してログインを行う。この時点では、記憶メディア１５の内部は、空の状態であり、ユーザAは、記憶メディア１５の全ての領域を使用可能である。ユーザAは画像１、画像２の撮影を行い、２つの画像ファイルを記憶メディア１５に記憶させる。この時、ユーザAの個人パスワードadesuが、画像１、画像２に付加されて記憶メディア１５に記憶される。この場合、ユーザAは、画像１、画像２の閲覧が可能であり、記憶メディア１５の残りの領域に対してもアクセス可能であり、さらに撮影を続けて画像を記憶メディア１５に保存することが可能である。
【００４４】
図７Bに示されるように、その後、ユーザBが、ユーザAが使用していた電子スチルカメラ１を使用して撮影を行う。記憶メディア１５としては、ユーザAが使用していたものが、共用される。ユーザBは、入力部１７に個人パスワードbdaを入力してログインを行う。この時点で、ユーザBは、アクセス可能な記憶メディア１５の領域は、記憶メディア１５の全体からAさんが撮影した画像１、画像２が保存されている領域を除いた領域である。ユーザBは、画像１、画像２を閲覧することはできない。ユーザBは、画像３の撮影を行い画像ファイルを記憶メディア１５に記憶させる。この時、ユーザBの個人パスワードbdaが画像３に付加されて記憶メディア１５に記憶される。
【００４５】
図７Cに示されるように、その後、ユーザCは、ユーザAおよびBが使用した電子スチルカメラ１をさらに使用する。この場合にも、記憶メディア１５としては、ユーザAおよびBが使用していたものが共用される。ユーザCは、入力部１７にグループAAのグループパスワードであるaagpを入力してログインを行う。この場合、ユーザCが、アクセス可能な記憶メディア１５の領域は、記憶メディア１５の対応テーブル（図３）に基づき、同じグループAAに属するユーザAが撮影した画像１、画像２、およびグループAAに属さないユーザBが撮影した画像３を除く残りの空の領域全体となる。
【００４６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記憶媒体からインストールされる。
【００４７】
この記憶媒体は、図１に示すように、コンピュータとは別に、ユーザにプログラムを提供するために配布される、プログラムが記録されている磁気ディスク３１（フロッピ（登録商標）ディスクを含む）、光ディスク３２（CD-ROM(Compact Disk-Read Only Memory）、DVD（Digital Versatile Disk）を含む）、光磁気ディスク３３（MD（Mini-Disk）（商標）を含む）、若しくは半導体メモリ３４などよりなるパッケージメディアにより構成されるだけでなく、コンピュータに予め組み込まれた状態でユーザに提供される、プログラムが記録されているROM（Read-only memory）や、HDD（Hard Disk Drive）などで構成される。
【００４８】
なお、上述した一連の処理を実行させるプログラムは、必要に応じてルータ、モデムなどのインターフェースを介して、ローカルエリアネットワーク、インターネット、デジタル衛星放送といった、有線または無線の通信媒介を介してコンピュータにインストールされるようにしてもよい。
【００４９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００５０】
以上においては、本発明を電子スチルカメラに適用した場合を例としたが、本発明は、PDA（Personal Digital Assistants）、パーソナルコンピュータ、携帯電話機といった各種の情報処理装置に適用することが可能である。
【００５１】
【発明の効果】
本発明によれば、セキュリティを確保しつつ、複数のユーザに同一の記憶メディアを共用させることが可能となる。
【図面の簡単な説明】
【図１】本発明を適用した電子スチルカメラの構成を示すブロック図である。
【図２】図１の電子スチルカメラのグループパスワードの登録処理を説明するフローチャートである。
【図３】パスワードの対応テーブルの例を示す図である。
【図４】対応テーブルのパスワードの関係を説明する図である。
【図５】図１の電子スチルカメラの記録再生処理を説明するフローチャートである。
【図６】図１の電子スチルカメラの記録再生処理を説明するフローチャートである。
【図７】撮影された画像ファイルへのアクセス制限の例を説明する図である。
【符号の説明】
１  電子スチルカメラ，  １１  撮像素子，  １２  ADC，  １３  信号処理部，  １４  記憶メディアスロット，  １５  記憶メディア，  １６  外部I/F，  １７  入力部，  １８  比較部，  １９  書込み読み出し制御部，  ２０  中央処理部，  ２１  表示部
【図１】
0004106588.tif 000002
【図２】
0004106588.tif 000003
【図３】
0004106588.tif 000004
【図４】
0004106588.tif 000005
【図５】
0004106588.tif 000006
【図６】
0004106588.tif 000007
【図７】
0004106588.tif 000008